(57)【要約】【課題】各画素について、シアン、マゼンタ、イエロー、ブラック、レッド、グリーンおよびブルーの７色のインクを重ねることなく、色再現性、視覚特性に優れた画像を形成する。【解決手段】画像処理装置１３の中間調出力階調処理部２９は、入力画像データに誤差拡散処理を施すことにより中間調処理を行って、記録材上に画像形成を行う可視の色材の色であるシアン、マゼンタ、イエローの１次色、可視の色材の色を補色反転したレッド、グリーン、ブルーの２次色、およびブラックの少なくとも７色の入力画像データより、多くとも１色、言い変えると１色以下の入力画像データを選択し他の色の入力画像データには異なる誤差拡散処理を施す制御部を具備する。【選択図】        図１
2004336372.tif 000002
【特許請求の範囲】
【請求項１】
入力画像データに誤差拡散処理を施すことにより中間調処理を行う階調再現処理部を備える画像処理装置において、
上記階調再現処理部には、記録材上に画像形成を行う可視の色材の色である１次色、可視の色材の色を補色反転した２次色、およびブラックの少なくとも７色の入力画像データより、多くとも１色の入力画像データを選択し、他の色の入力画像データには異なる誤差拡散処理を施す制御部が備えられていることを特徴とする画像処理装置。
【請求項２】
前記制御部は、前記７色の入力画像データのうち、最も濃度の高い値を有する入力画像データを選択することを特徴とする請求項１に記載の画像処理装置。
【請求項３】
入力画像データに誤差拡散処理を施すことにより中間調処理を行う階調再現処理部を備える画像処理装置において、
前記階調再現処理部は、記録材上に画像形成を行う可視の色材の色である１次色、可視の色材の色を補色反転した２次色、およびブラックの少なくとも７色の入力画像データに対して誤差拡散処理を行う場合、誤差拡散処理に用いられる閾値が、入力画像データの取りうる濃度値の最大値の１／２以上に設定されていることを特徴とする画像処理装置。
【請求項４】
請求項１乃至３項の何れかに記載の画像処理装置を備えることを特徴とする画像形成装置。
【請求項５】
入力画像データに誤差拡散処理を施すことにより中間調処理を行う階調再現処理工程を備える画像処理方法において、
前記階調再現処理工程は、記録材上に画像形成を行う可視の色材の色である１次色、可視の色材の色を補色反転した２次色、およびブラックの少なくとも７色の入力画像データより、多くとも１色の入力画像データを選択し、他の色の入力画像データには異なる誤差拡散処理を施すことを特徴とする画像処理方法。
【請求項６】
入力画像データに誤差拡散処理を施すことにより中間調処理を行う階調再現処理工程を備える画像処理方法において、
前記階調再現処理工程は、記録材上に画像形成を行う可視の色材の色である１次色、可視の色材の色を補色反転した２次色、およびブラックの少なくとも７色の入力画像データに対して誤差拡散処理を行う場合、誤差拡散処理に用いられる閾値が、入力画像データの取りうる濃度値の最大値の１／２以上に設定されていることを特徴とする画像処理方法。
【請求項７】
請求項５または６に記載の画像処理方法をコンピュータに実行させるためのプログラムからなるコンピュータ・ソフトウエア。
【請求項８】
請求項７に記載のプログラムをコンピュータに実行可能に格納したことを特徴とする記録媒体。
【発明の詳細な説明】
【０００１】
【発明の属する技術分野】
本発明は、複写機やプリンタなどにおいて、シアン・マゼンタ・イエローの１次色、レッド・グリーン・ブルーの２次色、およびブラックの少なくとも７色の色材を用いて画像を再現する画像処理装置、画像形成装置、画像処理方法、画像処理プログラム、画像処理プログラムを記録した記録媒体に関するものである。
【０００２】
【従来の技術】
シアン、マゼンタ、イエローの一次色及びブラック（黒）のインクを画像データに基づく記録信号に応じて個別に吐出する記録ヘッドを備えるインクジェット記録装置において、▲１▼２次色であるレッド・グリーン・ブルーを表そうとした場合、１次色での調整が難しい、▲２▼２次色同士の異色間の境界での混色がひどくなり良好な画像を得ることができない、という問題がある。そこで、この問題点を補うものとして、シアン、マゼンタ、イエロー、ブラック、レッド、グリーンおよびブルーの７色のインクを画像データに基づく記録信号に応じて個別に吐出する記録ヘッドを備えるインクジェット記録装置がある。（特許文献１参照）
特許文献１に開示される技術により、複雑な色処理をすること無しにインクそのものの調整を可能とし、レッド、グリーン、ブルーの２次色はレッド、グリーン、ブルーそれぞれのインクを用いて記録されるのでインク打ち込み量を減少させ２次色で特に問題となる異色境界のにじみの発生を抑制することができるものである。
【０００３】
【特許文献１】
特開平８−２４４２５４号公報
【０００４】
【発明が解決しようとする課題】
カラーの入力画像データに中間調処理を施し（例えば２値の誤差拡散処理）、紙などの記録材上に画像を形成する場合、ドットの重なりをできる限り抑えた方が、色再現性、視覚特性に優れた画像を出力することができる。
しかしながら、シアン、マゼンタ、イエローの濃度信号から墨生成（黒生成）処理および２次色生成処理をした後、上記特許文献１に開示されている技術においても、インクを吐出するためのデータの生成を実行しなければならない。そのため、ドットを吐出するかしないかの２値化処理を行う場合、２値化処理の方法次第では、複数の色のインクが重なる画素が生じ、色再現性上好ましくない。
【０００５】
本発明の目的は、各画素について、シアン、マゼンタ、イエロー、ブラック、レッド、グリーンおよびブルーの７色のインクを重ねることなく、色再現性、視覚特性に優れた画像を出力できる画像処理装置、画像形成装置、画像処理方法、画像処理プログラム、画像処理プログラムを記録した記録媒体を提供することにある。
【０００６】
【課題の解決手段】
本発明の入力画像データに誤差拡散処理を施すことにより中間調処理を行う階調再現処理部を備える画像処理装置は、階調再現処理部に、記録材上に画像形成を行う可視の色材の色である１次色、可視の色材の色を補色反転した２次色、およびブラックの少なくとも７色の入力画像データより、多くとも１色、言い変えると１色以下の入力画像データを選択し、他の色の入力画像データには異なる誤差拡散処理を施す制御部を具備する。
本発明の画像処理装置によればドットの重なりを防ぐ出力画像データを生成することができる。
【０００７】
本発明の画像処理装置は、前記７色の入力画像データのうち、最も濃度の高い値を有する入力画像データを選択する制御部を備えている。
本発明の画像処理装置によれば各画素で、７色のうち最も濃度の高い色のドットを出力することができ、誤差の蓄積も最小限に抑えることができる。
【０００８】
本発明の画像処理装置は、入力画像データに誤差拡散処理を施すことにより中間調処理を行う階調再現処理部を備えている。この階調再現処理部は、記録材上に画像形成を行う可視の色材の色である１次色、可視の色材の色を補色反転した２次色、およびブラックの少なくとも７色の入力画像データに対して誤差拡散処理を行う場合、誤差拡散処理に用いられる閾値が、入力画像データの取りうる濃度値の最大値の１／２以上に設定されている。
本発明の画像処理装置によれば各画素の７色の画像データのうち、ドットを出力する色を多くとも１色、言い変えると１色以下にするために、閾値を設定することにより７色のうちの最大値を持つ色を比較する処理を省略でき、誤差拡散処理によりドットを出力する画像データを出力する色は１色以下に抑えることができる。
【０００９】
本発明の画像形成装置は、上記の画像処理装置を備えている。本発明によれば、ドットの重なりを防ぐことができるので品質の良い画像を出力することのできる画像形成装置を提供することができる。
【００１０】
本発明の画像処理方法は、入力画像データに誤差拡散処理を施すことにより中間調処理を行う階調再現処理工程を備え、この階調再現処理工程は、記録材上に画像形成を行う可視の色材の色である１次色、可視の色材の色を補色反転した２次色、およびブラックの少なくとも７色の入力画像データより、多くとも１色の入力画像データを選択し、他の色の入力画像データには異なる誤差拡散処理を施すことを特徴とする。
本発明の画像処理方法によればドットの重なりを防ぐ出力画像データを生成することができる。
【００１１】
本発明の画像処理方法は、入力画像データに誤差拡散処理を施すことにより中間調処理を行う階調再現処理工程を備え、この階調再現処理工程は、記録材上に画像形成を行う可視の色材の色である１次色、可視の色材の色を補色反転した２次色、およびブラックの少なくとも７色の入力画像データに対して誤差拡散処理を行う場合、誤差拡散処理に用いられる閾値が、入力画像データの取りうる濃度値の最大値の１／２以上に設定されていることを特徴とする。
本発明の画像処理方法によれば各画素の７色の画像データのうち、ドットを出力する色を多くとも１色にするために閾値を設定することにより、７色のうちの最大値を持つ色を比較する処理を省略でき、誤差拡散処理によりドットを出力する画像データを出力する色は１色以下に抑えることができる。
【００１２】
本発明のコンピュータ・ソフトウエアは、上記の画像処理方法をコンピュータに実行させることができる。
シアン、マゼンタ、イエローの１次色、レッド、グリーン、ブルーの２次色、およびブラックの少なくとも７色の画像データを用いて画像形成を行う際、各色のドットの重なりを防ぐために上記画像データのうち、多くとも１色、言い変えると１色以下を選択して出力画像データとする画像処理方法を上記コンピュータが読み取り実行することができる。これにより、上記画像処理方法を汎用的なものとすることができる。
【００１３】
本発明の記録媒体は、上記の画像処理方法をコンピュータに実行可能に格納している。
上記の構成によれば、画像処理方法のプログラムを容易にコンピュータに供給することができる。
【００１４】
【発明の実施の形態】
図１は、デジタル複写機もしくはインクジェット複写機（複写機能・ファックス機能・プリンタ機能を備えた複合機でも良い）の画像形成装置１１内に備えられる画像処理装置１３の構成を示すブロック図である。
画像処理装置１３は、アナログ／デジタル（以後「Ａ／Ｄ」と略称する）変換部２１、シェーディング補正部２２、入力階調補正部２３、色補正部２４、像域分離処理部２５、墨生成下色除去部２６、２次色生成処理部２７、空間フィルタ処理部２８、中間調出力階調処理部（階調再現処理部）２９、出力変換部３０で実現される。Ａ／Ｄ変換部２１は、画像入力装置１２から与えられるＲＧＢ（Ｒ：赤・Ｇ：緑・Ｂ：青）の反射率信号（反射率データ）を、デジタル信号に変換する。シェーディング補正部２２は、Ａ／Ｄ変換された反射率信号に対して、シェーディング補正処理を施す。シェーディング補正処理は、画像入力装置１２の照明系・結像系・および撮像系の構成に起因して画像信号に生じる各種の歪みを取除くために行われる。
【００１５】
入力階調補正部２３は、シェーディング補正処理が施された反射率信号に、入力階調補正処理を施す。入力階調補正処理は、反射率信号を、濃度信号等のような画像処理装置１３が扱いやすい信号に変換する処理である。入力階調補正処理部２３は、反射率信号に、カラーバランス処理をさらに施しても良い。
色補正部２４は、ＲＧＢ（Ｒ：赤・Ｇ：緑・Ｂ：青）の濃度信号をＣＭＹ（Ｃ：シアン・Ｍ：マゼンタ・Ｙ：イエロー）の濃度信号に変換し、かつ画像出力装置１５における色再現の忠実化実現のために、ＣＭＹの濃度信号に色補正処理を施す。色補正処理は、具体的には、不要吸収成分をそれぞれ含むＣＭＹのトナーやインクの分光特性に基づいた色濁りを、ＣＭＹの濃度信号から取除く処理である。
像域分離処理部２５は、色補正部２４から出力されたＣＭＹの濃度信号に基づき、領域分離処理を行う。像域分離処理部２５における分離結果（領域識別信号）は、墨生成下色除去部２６・空間フィルタ処理部２８に与えられ、中間調出力階調処理部２９にも与えられることがある。
【００１６】
墨生成下色除去部２６は、色補正部２４から出力された濃度信号を構成するＣＭＹの色信号に基づいて、ブラック（Ｋ）の色信号を生成する墨生成処理を行う。また墨生成下色除去部２６は、ＣＭＹの色信号に対して下色除去処理を施す。下色除去処理は、ＣＭＹの色信号から墨生成処理で生成されたブラックの色信号を差し引いて新たなＣＭＹの色信号を得る処理である。これらの処理の結果、ＣＭＹの濃度信号は、ＣＭＹＫの色信号からなる画像信号である画像データに変換される。
２次色生成処理部２７は、墨生成下色除去部２６から出力されたＣＭＹの３色のうちの２色の色信号に対して２次色生成処理を行う。２次色生成処理は、ＣＭＹの３色のうち２色の色信号から２次色を生成し、その２色については２次色の色信号を差し引く。生成される２次色（可視の色材の色を補色反転した色）は、シアンとマゼンタの組合せならばブルー、シアンとイエローの組合せならばグリーン、マゼンタとイエローの組合せならばレッドとなる。詳細については後述する。
空間フィルタ処理部２８は、墨生成下色除去部２６、２次色生成処理部２７で得られた、ＣＭＹＫＲＧＢ画像データに対して、デジタルフィルタを用いた空間フィルタ処理を施す。これによって画像の空間周波数特性が補正されるので、画像出力装置１４が出力する画像にぼやけ、または粒状性劣化を生じることを防止することができる。
【００１７】
中間調出力階調処理部（階調再現処理部）２９は、空間フィルタ処理後のＣＭＹＫ画像データに対して、階調補正処理および中間調生成処理を施す。中間調生成処理は、画像を複数の画素に分割して階調を再現できるようにする処理であり、２値や多値のディザ法・誤差拡散法等を用いることができる。また中間調出力階調処理部２９は、画像データの濃度値を、画像出力装置１４の特性値である網点面積率に変換する処理を行っても良い。
出力変換部３０は、画像出力装置１４としてのインクジェット記録装置のヘッド（Ｃ・Ｍ・Ｙ・Ｋなどのインクジェットヘッド）の並びに応じて、出力画像データを変換する。出力変換部３０によって処理された濃度信号が、画像出力装置１４に与えられる。以上の動作は、例えば、ＣＰＵ（Ｃｅｎｔｒａｌ  Ｐｒｏｃｅｓｓｉｎｇ  Ｕｎｉｔ、制御部）により制御される。
【００１８】
図２は、画像出力装置の一例であるインクジェット記録装置（複写機・プリンタ・複合機）の全体構成を示す透視斜視図である。
このインクジェット記録（画像出力）装置１４は、大略的に、印字ヘッド（インクジェットヘッド）１４１、キャリッジ１４２、搬送ローラ１４３、ガイドシャフト１４４、保持手段１４５、モータ１４６、駆動ベルト１４７およびメンテナンスユニット１４８により構成される。キャリッジ１４２は、印字ヘッド（インクジェットヘッド）１４１を搭載し、記録材Ｐに対して、矢符Ｘ１およびＸ２方向の主走査方向に相対的に移動可能である。そして、記録材Ｐは図示しない給紙部から矢符Ｙの副走査方向に給送されながら、矢符Ｘ１およびＸ２方向に移動する印字ヘッド１４１により画像形成が行われる。給紙部に備えられている記録材は、図示しない給紙ローラにより１枚ずつ送り出され、記録材搬送手段である搬送ローラ１４３により印字ヘッド１４１部分に供給される。記録が終了した記録材Ｐは排紙部（図示せず）に排出される。
上記印字ヘッド（インクジェットヘッド）１４１は、上記主走査方向に延びるガイドシャフト１４４及び保持手段１４５上に摺動自在に支持されて、記録材に対する位置が決められる。さらに、駆動手段であるモータ１４６によって駆動される駆動ベルト１４７がガイドシャフト１４４と平行に張架されており、印字ヘッド（インクジェットヘッド）１４１は駆動ベルト１４７によって変位駆動される。なお、メンテナンスユニット１４８は、印字ヘッド（インクジェットヘッド）１４１のクリーニングなどのメンテナンスが実施される部分である。
【００１９】
また、図３に示すように、印字ヘッド（インクジェットヘッド）１４１には、複数色、例えば、Ｃ（シアン）・Ｍ（マゼンタ）・Ｙ（イエロー）・Ｋ（黒）・Ｒ（レッド）・Ｇ（グリーン）・Ｂ（ブルー）よりなる７色の通常のインクのインクタンク１５１が備えられている。これらのインクは画像データに応じてノズル１６１より記録媒体上に吐出される。
【００２０】
ところで、本実施の形態に係る画像処理装置および画像処理方法は、中間調出力（再現）階調処理部２９がインクのドットを吐出するかしないかを示す２値データを誤差拡散処理により出力する構成となっている。
本実施の形態における墨生成処理および下色除去処理から中間調出力階調処理について図４を参照して説明する。図４は墨生成処理および下色除去処理から２次色生成処理の処理例を示したものである。
墨生成下色除去部２６は、色補正部２４から出力された濃度信号を構成するＣＭＹの色信号に基づいて、墨生成処理および下色除去処理を施す。
【００２１】
本実施の形態に係る墨生成処理は、ＣＭＹの色信号（図４（ａ））の最小値をそのままブラックの色信号とし、ＣＭＹはそれぞれブラックの色信号を差し引く。これにより、ＣＭＹの３色のうち少なくとも１色の濃度信号は０となる。例えば、シアンの色信号が２００、マゼンタの色信号が１５０、イエローの色信号が６０であれば、図４（ｂ）に示すように、最小値の６０がブラックの色信号となり、ＣＭＹの色信号はそれぞれ６０を引いて、シアンの色信号が１４０、マゼンタの色信号が９０、イエローの信号が０となる（図４（ｃ））。
【００２２】
２次色生成処理部２７は、墨生成下色除去部２６から出力されたＣＭＹの３色のうち０でない色信号に対して２次色生成処理を行う。本実施の形態に係る２次色生成処理は、ＣＭＹの３色のうち色信号が０でない２色の色信号の最小値を２次色の色信号とし、その２色は２次色の色信号を差し引く。これにより、その２色のうち少なくとも１色が０となる。図４（ｄ）に示すように、シアンの色信号が１４０、マゼンタの色信号が９０に対しては、最小値の９０がブルーの信号となり、シアン、マゼンタの色信号はそれぞれ９０を引いて、シアンの色信号が５０、マゼンタの色信号が０となる（図４（ｅ））。
墨生成下色除去部２６、２次色生成処理部２７の処理により、０でない色信号は多くても、１次色の３色のうちの１色、２次色のうちの１色およびブラックの３色となる。これらの処理の後のＣＭＹＫＲＧＢの７色の画像データに対して空間フィルタ処理部２８において空間フィルタ処理を施す。
さらに中間調出力階調処理部２９において、それぞれ階調補正処理および中間調生成処理を施す。
【００２３】
中間調出力階調処理部２９は階調補正処理部４１と中間調生成処理部４２よりなる（図５参照）。
階調補正処理部４１の処理は、各画素に関して、Ｃ，Ｍ，Ｙ，Ｋの画像データを、画像出力装置１４の出力特性に応じた特性値である網点面積率に変換する処理である。
ここで、中間調生成処理部４２について詳述する（誤差拡散処理部４３は図７のブロック図を参照）。
中間調生成処理部４２は、誤差拡散処理部４３と最大濃度判定部４４で構成される。誤差拡散処理部４３に入力された入力画像データの画素は、誤差格納部４３７に格納されている上記画素に対する拡散誤差が加算器４３１によって加算され、量子化処理部４３２へ出力される。量子化処理部４３２では、最大濃度判定部４４の濃度判定信号に基づいて、量子化閾値格納部４３３に格納されている量子化閾値を選択し、拡散誤差が加算された画素と比較し、２値化を行い量子化値との誤差が求められる。そして、拡散係数設定部４３５では、拡散係数格納部４３６から拡散係数が選択され、この拡散係数と上記誤差とに基づいて拡散誤差が算出される。そして、該拡散誤差が誤差格納部４３７に格納される。
【００２４】
最大濃度判定部４４では、ＣＭＹＫＲＧＢ画像データの中で、最も高濃度のデータを判定し、最も高濃度の色については通常の閾値による２値化して誤差を拡散する旨の信号（濃度判定信号）をその色の量子化処理部４３２に出力する。その他の色については、誤差拡散処理部４３の量子化閾値格納部４３３に格納されている量子化閾値を２５５とする旨の信号（濃度判定信号）を出力する。あるいは、量子化処理部４３２に無条件に量子化値を０とする旨の信号（濃度判定信号）を出力する。ここで、閾値の２５５は、画像を２５６階調で表す場合、濃度の最大値である。
【００２５】
図６は、本実施の形態に係る中間調出力階調処理部２９の中間調生成処理部４２における中間調生成処理の流れを示すものである。ここでは、画像出力装置はドットを吐出するかしないか、すなわち、２値で画像を形成するものとし、中間調生成処理としては２値誤差拡散法を用いている。
ステップＳＴ１０でＣ，Ｍ，Ｙ，Ｋの各色成分において、処理画素に拡散された蓄積誤差を入力された画像データに加算する。そして、ステップＳＴ１１で加算された入力画像データのうちのもっとも大きな値の色成分を求める。ステップＳＴ１２で最大値以外の色成分の閾値を２５５とし、各色成分を閾値（２５５）と比較して２値化を実行、２値化誤差を拡散する（ステップＳＴ１３）。
【００２６】
２次色生成処理部２７で２次色生成処理後の０でない画像データは、１次色ＣＭＹの３色のうちの１色、２次色ＲＧＢのうちの１色およびブラックの３色であるので、これらの３色以外の色成分の、空間フィルタ処理後の画像データも０に近い。そのため、これらの３色の色成分の画像データ中で空間フィルタ処理後の画像データ（濃度値）が最も大きな値のものについて２値化して誤差を拡散しても構わない。画像データが最も大きな値の色以外の画像データについては、閾値を強制的に２５５として誤差拡散処理を施す。あるいは、閾値判定処理を行わずに無条件に量子化値すなわち出力値を０として量子化誤差を拡散しても良い。
【００２７】
また、画像データが最も大きな値のものを調べずに、２５５（画像を２５６階調で表す場合、濃度の最大値）／２＝１２７．５より、各色の閾値を１２７（小数点以下切り捨て）として各色それぞれ２値化しても構わない。これは、３色の合計濃度値は最大２５５としているので、３色のうち２色以上が１２８以上となることがないためである。この場合、図５・図７の最大濃度判定部は不要である。
以上の処理により、１つの画素に複数の色のドットが吐出されることがなく、色再現性の劣化を抑えることができ、視覚的にも好ましい画像を得ることができる。
【００２８】
本発明においては、本画像処理方法を実行することのできるプログラムを作成し、上記プログラムをハードディスク、フレキシブルディスク、ＣＤ−ＲＯＭなどの記録媒体に格納してもよい。上記の構成によれば、画像形成装置やコンピュータなどに上記記録媒体を容易に供給することが可能となり、その画像形成装置やコンピュータに本画像処理法を実行させることができる。
【００２９】
本プログラムは、例えば、ソフトウエアとして、コンピュータに適用してもよく、また、上記プログラムを組み込んだプリンタ・ドライバをコンピュータに設けてもよい。
【００３０】
図８は、コンピュータに備えられるプリンタ・ドライバの構成を示すブロック図である。コンピュ−タ５０は、プリンタ・ドライバ５１、通信ポートドライバ５６、通信ポート５７を含んで構成される。プリンタ・ドライバ５１は色補正部５２、階調再現処理部５３、出力変換部５４、プリンタ言語翻訳部５５より構成される。また、コンピュータ５０は、ＲＳ２３２Ｃ・ＬＡＮ等の通信ポートドライバ５６・通信ポート５７を介してインクジェット方式のプリンタ（画像出力装置）１４と接続されている。
【００３１】
コンピュータ５０において各種のアプリケーションプログラムを実行することにより生成された画像データは、プリンタ・ドライバ５１内の色補正部５２に送られる。色補正部５２では、上述のカラー画像処理装置に備えられた色補正部と同様の処理を画像データに施す。さらに色補正部５２では、カラー画像処理装置における墨生成下色除去部および２次色生成処理部での処理も行う。色補正部５２より出力された画像データは、次に階調再現処理部５３に送られ、階調補正処理・中間調生成処理が施される。階調再現処理部５３において処理がなされた画像データは、出力変換部５４に送られる。出力変換部５４では、プリンタ１４のヘッド（Ｃ・Ｍ・Ｙ・Ｋなどのインクジェットヘッド）の並びに応じて、出力画像データを変換し、プリンタ言語翻訳部５５に送られ、プリンタ言語に変換される。プリンタ言語翻訳部５５から出力された画像データは、通信ポートドライバ５６・通信ポート５７を介して、プリンタ１４に入力される。プリンタ１４では、入力された画像データを紙等の記録材に出力する。
本発明にかかるプログラムおよび記録媒体は、上記のようにプリンタ・ドライバとして既存のコンピュータおよびプリンタなどに追加して設けることが可能である。これによれば、本発明の画像処理方法を容易に実施することが可能となる。
【００３２】
なお、本実施の形態においては、画像出力装置としてデジタルカラー複写機およびプリンタを例示したが、画像出力装置としては他に、プリンタ機能、コピー機能およびファックス機能を有するデジタル複合機であってもよい。
【００３３】
【発明の効果】
本発明によれば、各画素について、シアン、マゼンタ、イエロー、ブラック、レッド、グリーンおよびブルーの７色のインクを重ねることなく、色再現性、視覚特性に優れた画像を形成できる。
【図面の簡単な説明】
【図１】画像形成装置に備えられる画像処理装置の構成を説明するブロック図
【図２】インクジェット記録装置の構成説明図
【図３】印字ヘッドの斜視図
【図４】中間調出力階調処理の説明図
【図５】中間調出力階調処理部の構成説明図
【図６】中間調生成処理のフローチャート
【図７】誤差拡散処理部のブロック図
【図８】コンピュータに備えられるプリンタ・ドライバの構成を説明するブロック図
【符号の説明】
１１  画像形成装置
１２  画像入力装置
１３  画像処理装置
１４  画像出力装置
２１  Ａ／Ｄ変換部
２２  シェーディング補正部
２３  入力階調補正部
２４  色補正部
２５  像域分離処理部
２６  墨生成下色除去部
２７  ２次色生成処理部
２８  空間フィルタ処理部
２９  中間調出力階調処理部
４１  階調補正処理部
４２  中間調生成処理部
４３  誤差拡散処理部
４４  最大濃度判定部
５０  コンピュータ
５１  プリンタ・ドライバ
５６  通信ポートドライバ
５７  通信ポート
１４１  印字ヘッド
１６１  インク吐出ノズル
【図１】
2004336372.tif 000003
【図２】
2004336372.tif 000004
【図３】
2004336372.tif 000005
【図４】
2004336372.tif 000006
【図５】
2004336372.tif 000007
【図６】
2004336372.tif 000008
【図７】
2004336372.tif 000009
【図８】
2004336372.tif 000010